(57)【特許請求の範囲】
【請求項１】
チップ専用船の貨物倉と貨物倉の間に設けられる立式波形倉内横隔壁の船側外板から斜め下方向に延設するサイドストリンガーの深さ位置には、内部が適宜の間隔で水平に又は前記サイドストリンガーの傾斜角度で複数に分割される分割補強材と、当該分割補強材の各コーナー端部に設けられるコーナー切り込み部とからなるボックス構造を設け、かつ、前記立式波形倉内横隔壁の接合部を前記サイドストリンガーの端部において上下に広がる断面のガセット形状プレートとしたことを特徴とするチップ専用船の貨物倉内構造。
【発明の詳細な説明】
【技術分野】
【０００１】
本発明は、チップ専用船の貨物倉内構造に関する。
【背景技術】
【０００２】
チップ専用船は、貨物倉は、基本的にはバラ積み船と変わらないが、比重の軽い貨物であるチップをできるだけ多く積載するために、貨物倉の容積が大きくとられ、船側外板と貨物倉横隔壁の接合部分に強度上の問題が生じやすい。このようなチップ船については、本願出願人は、既に、特開２００１-１０５８３号公報に開示の発明を提案している。
【０００３】
図５は、当該特開２００１-１０５８３号公報に図１として開示される開示発明の一実施の形態に係るチップ船の中央横断面図であり、符号１０１は、外板、１０２は、船側肋骨、１０３は、船側横桁、１０４は、船側縦桁、１０５は、縦連結式構造のロンジ、１０６は、甲板、１０７は、ビルジホッパータンク、１０８は、ハッチ開口部である（符号は、先行技術であることを明らかにするために、本願出願人において、３桁に変更して説明した）。
【０００４】
同公報に開示の発明は、発明名称「チップ船の外板構造」に係り、「クラックの発生を阻止し、また、格子構造としないで、該ロンジを縦方向に働く補強材とすることにより、全体としての重量の軽減をはかる」発明の解決課題において（同公報明細書段落番号０００７参照）、「チップ船等開口面積の大きい船体の船側外板上部位置に船側横桁を貫通する複数のサイドロンジを設けた」構成とすることにより（同公報特許請求の範囲の請求項１筒の記載参照）、「(1)船側上部位置におけるホギング及びサギングモーメントに対する強度が向上する、(2)途中の不連続部分がなくなり、途中部分にクラックの発生がなくなる、(3)従来のような上記格子構造をとる必要がなくなり、その結果、この領域の重量軽減を達成することができる」等の効果を奏するものである(同公報明細書段落番号００１２参照）。
【０００５】
一方、このような外板構造を有するチップ専用船は、ばら積み船の特徴である貨物倉上部左右のトップサイドタンクがない構造となっている。その結果、小さくなるバラスト容量を補うため、チップ専用船は空荷航海時には中央の貨物倉にバラスト水を張ることとなり、このバラストを張る貨物倉はバラストホールドと呼ばれている。このバラストホールドにバラスト水を張ると、今度は、航海時にバラスト水の移動により、貨物倉内横隔壁船側部が変形する。
そこで、従来、貨物倉内横隔壁船側部の変形を抑えるために図６のように深いサイドストリンガーを設ける構造としていた。
【０００６】
図６は、従来のチップ専用船の貨物倉内横隔壁船側部の概略を示す図であり、船体片側のみを示している。図６において、２０１は、船側外板、２０２は、倉内横隔壁、２０３は、積荷時には貨物倉として使用され、空荷時には、バラストタンクとして使用されるバラストホールド、２０４は、貨物倉、２０５は、前記船側外板２０１に接合されるサイドストリンガー、２０６、２０７は、当該サイドストリンガー２０５と前記倉内横隔壁の凹部に嵌入してとの強度を高めるブラケット、２０９は、船体縦中央を示し、２１０、２１１は、前記倉内横隔壁２０２上に生じるクラックの例を示している。
【０００７】
図６に示されるように、従来のチップ専用船の貨物倉内横隔壁船側部は、強度を高めるため、前記サイドストリンガー２０５を貨物倉２０３、２０４の内部深くまで延接させて接合すると共に、前記倉内横隔壁２０２の凹部には、補強材である前記ブラケット２０６、２０７を設けていたが、構造的に見た場合、前記サイドストリンガー２０５と前記倉内横隔壁２０２との取り合い部は、変形を拘束する構造であるため、高応力が生じ、前記クラック２１０、２１１が発生するという問題があった。
【先行技術文献】
【特許文献】
【０００８】
【特許文献１】特開２００１-１０５８３号公報
【発明の概要】
【発明が解決しようとする課題】
【０００９】
本発明は、上記問題に鑑み、継続的に損傷（クラック）を起こしていた立式波形横隔壁とサイドストリンガーの取合い部の損傷をなくし、強度上に優れ、その結果、安全面でも優れた構造を有するるチップ専用船の倉内構造を提供することを目的とする。
【課題を解決するための手段】
【００１０】
上記の課題を解決するために、本願請求項１に係る発明は、チップ専用船の貨物倉内構造において、チップ専用船の貨物倉と貨物倉の間に設けられる立式波形倉内横隔壁の船側外板から斜め下方向に延設するサイドストリンガーの深さ位置には、内部が適宜の間隔で水平に又は前記サイドストリンガーの傾斜角度で複数に分割される分割補強材と、当該分割補強材の各コーナー端部に設けられるコーナー切り込み部とからなるボックス構造を設け、かつ、前記立式波形倉内横隔壁の接合部を前記サイドストリンガーの端部において上下に広がる断面のガセット形状プレートとしたことを特徴とする。
【発明の効果】
【００１１】
本発明は、上述のとおり構成されているので、次に記載する効果を奏する。
従来、継続的に損傷（クラック）を起こしていた横隔壁とサイドストリンガーの取合い部の損傷を無くすことができ、強度上の問題を解決することが可能となった。また、安全面でも優れた構造である。
さらに、付随効果として、ボックス構造を上部スツールから下部スツールへアクセス可能なアクセストランクとして利用することが可能で、その結果、二重底タンクの空気抜き管を配管することが容易にでき、当該空気抜き管の腐食を防止することができるという効果を得ることができる。
【図面の簡単な説明】
【００１２】
【図１】図１は、本発明に係るチップ専用船の貨物倉内構造の実施例１を示す図、
【図２】図２は、本実施例１に係るチップ専用船の貨物倉内構造１を有する左舷横断面概略図、
【図３】図３は、前記ボックス構造５の概略を示す概略図、
【図４】図４は、前記サイドストリンガー４と前記ボックス構造５との接合部の概略を示す部分拡大斜視図、
【図５】図５は、当該特開２００１-１０５８３号公報に図１として開示される開示発明の一実施の形態に係るチップ船の中央横断面図、
【図６】図６は、従来のチップ専用船の貨物倉内横隔壁船側部の概略を示す図である。
【発明を実施するための形態】
【００１３】
本発明に係るチップ専用船の貨物倉内構造を実施するための形態として一実施例を図面に基づき詳細に説明する。
【実施例１】
【００１４】
図１は、本発明に係るチップ専用船の貨物倉内構造の実施例１を示す図であり、図１において、符号１は、本実施例１に係るチップ専用船の貨物倉内構造であり、また、符号２は、船側外板、３は、チップ専用船の貨物倉を形成する立式波形横隔壁、４は、サイドストリンガー、５は、本実施例１に係るチップ専用船の貨物倉内構造１に付加される柔構造のボックス構造、６、６は、貨物倉である。
【００１５】
本実施例１に係るチップ専用船の貨物倉内構造１は、チップ専用船の貨物倉の前記立式波形横隔壁３と前記サイドストリンガー４との接合部に前記ボックス構造５を付加し、さらに、前記サイドストリンガー４と当該ボックス構造５との接合部は、前記サイドストリンガー４の端部に上下に広がる接合面を有するプレート状の断面ガセット形状に構成し、当該接合部分の剛性を高めるようにしたものである。
【００１６】
すなわち、本実施例１に係るチップ専用船の貨物倉内構造１は、図１に示すように、前記船側外板２から所定の深さ位置に垂直方向に延設する前記ボックス構造５を設け、かつ、当該ボックス構造５に接合される前記サイドストリンガー４の端部を前記ボックス構造５の船側側壁面までの深さまで延設し、さらに、前記立式波形横隔壁３の変形を拘束せず、前記サイドストリンガー４と前記立式波形横隔壁３の取り合い部に前記ガセット形状の端部を接合して、当該部分の応力を抑える構造とした。なお、「ガセット（Gusset）」とは、トラスなどの補強ブラケット板ないし隅板をいう。
【００１７】
図２は、本実施例１に係るチップ専用船の貨物倉内構造１を有する船舶の左舷横断面概略図であり、船尾から船首方向を見た左舷側のみを示した左舷横断面概略図である。図２において、２は、前述した船側外板、３は、同立式波形横隔壁、４、４は、同サイドストリンガー、５、５、５は、同ボックス構造、７ａは、上部スツール、７ｂは、下部スツール、８は、二重底タンク、９、９は、当該ボックス構造５内に適宜の間隔で配置される分割補強材である。
【００１８】
図２に示されるように、前記サイドストリンガー４は、前記船側外板２から下方斜め方向に延設され、また、前記ボックス構造５は、前記立式波形横隔壁３の谷部に同谷部の幅と同幅で当該立式波形横隔壁３の谷部の奥行きまで、前記上部スツール７ａから前記下部スツール７ｂの間に配置される柔構造の平面視ボックス形状に垂直に形成されるボックス構造であり、内部に適宜の間隔で前記補強材９、９が配置される。
【００１９】
図３は、前記ボックス構造５の概略を示す概略図であり、当該ボックス構造５の内部には、適宜の間隔で水平にまたは前記サイドストリンガー４の傾斜角度で前記補強材９、９が設けられる。図３において、図２において、符号９、９であ示した分割補強材であり、前記ボックス構造５の内壁面に接合される分割された分割補強材９ａ、９ｂ、９ｃ、９ｄからなり、１０ａ、１０ｂ、１０ｃ、１０ｄは、前記分割補強材９ａ、９ｂ、９ｃ、９ｄの各コーナー部に設けられるコーナー切り込み部である。
【００２０】
上述してきたように、本実施例１に係るチップ専用船の貨物倉内構造１における前記ボックス構造５は、容易に変形する柔構造とし、このため、前記ボックス構造５の内壁面の適宜の位置には、水平に又は前記サイドストリンガー４の傾斜角度に配置して変形を取り合う取り合い部たる前記補強材９を設け、さらに、当該補強材９は、前記ボックス構造５の内部で複数に分割されて、分割取り合い部構造を実現する前記分割補強材９ａ、９ｂ、９ｃ、９ｄと、前記分割補強材９ａ、９ｂ、９ｃ、９ｄの各コーナー端部に設けられるコーナー切り込み部１０ａ、１０ｂ、１０ｃ、１０ｄを設け、それぞれがボックス構造５の壁面の変形を吸収する構造とした。
【００２１】
すなわち、本実施例１に係るチップ専用船の貨物倉内構造１は、前記貨物倉６と前記貨物倉６の間に設けられた前記立式波形倉内横隔壁３の船側外板２側に、図３に示すように、斜め下方向に延設する前記サイドストリンガー４の深さを前記ボックス構造５の端部までの深さとし、前記立式波形倉内横隔壁３の変形を拘束せず、前記サイドストリンガー４と前記立式波形倉内横隔壁３の接合部を上下に広がる断面ガセット形状として応力を抑える構造とした。
【００２２】
図４は、前記サイドストリンガー４と前記ボックス構造５との接合部の概略を示す部分拡大斜視図であり、前記立式波形倉内横隔壁３の谷部端面（すなわち、前記ボックス構造５の端部面）の断面を斜視図で示したものである。
図４において、４は、前記ストリンガー、４ａは、前記サイドストリンガー端部、５は、前記ボックス構造５の壁面である。図４から明らかなように、前記サイドストリンガー４と前記ボックス構造５の壁面との接合面は、前記サイドストリンガー端部４ａで接合され、その接合部は、断面が上下方向に湾曲して広がるガセット形状のプレートに構成され、接合面積を増大させて、当該接合部分の剛性を高めるようにしたものである。
【００２３】
すなわち、本実施例１に係るチップ専用船の貨物倉内構造１は、図４に示すように、前記サイドストリンガー４の深さを前記ボックス構造５の壁面までの深さとし、前記立式波形倉内横隔壁３の変形を拘束せず、前記サイドストリンガー４と前記立式波形倉内横隔壁３の取り合い部を上下に湾曲して広がる断面ガセット形状の前記ストリンガー端部４ａで接合するようにして、応力を抑える構造としたものである。
【００２４】
また、これに伴い、前記ボックス構造５の変形が大きくなり、前記ボックス構造５の内部の補強材９、９は、変形に追従してせん断変形し、当該補強材９、９が損傷する危険があり、これを避けるため、前記ボックス構造５内の補強材９について、当該ボックス構造５の変形に追従しにくい構造とした。すなわち、当該補強材９、９を図３に示すように、前記ボックス構造５の隔壁内面に対応して分割し、それぞれがボックス構造５の１〜２の内面と取り合う構造とする。
【００２５】
このようにすることにより、前記ボックス構造５は、前記立式波形倉内横隔壁３の強度部材として機能することとなり、前記立式波形倉内横隔壁３への変形を防ぐことができるようになる。
また、いざ当該ボックス構造５への変形が生じた場合には、当該ボックス構造５内の前記補強材９が変形に追従してせん断変形に対応することができるようにして、前記補強材９の損傷を避けると共に、当該ボックス構造５の変形が生じても前記サイドストリンガー４との接合部には亀裂が生じないこととなる。
【産業上の利用可能性】
【００２６】
本発明は、チップ専用船の貨物倉内構造に利用される。
【符号の説明】
【００２７】
１ チップ専用船の貨物倉内構造
２ 船側外板
３ 立式波形倉内横隔壁
４ サイドストリンガー
４ａ サイドストリンガー端部
５ ボックス構造
６ 貨物倉
７ａ 上部スツール
７ｂ 下部スツール
８ 二重底タンク
９ａ、９ｂ、９ｃ、９ｄ 分割補強材
１０ａ、１０ｂ、１０ｃ、１０ｄ  コーナー切り込み部
１０１ 外板
１０２ 船側肋骨
１０３ 船側横桁
１０４ 船側縦桁
１０５ 縦連結式構造のロンジ
１０６ 甲板
１０７１ ビルジホッパータンク
１０８ ハッチ開口部
２０１ 船側外板
２０２ 倉内横隔壁
２０３ バラストホールド
２０４ 貨物倉
２０５ サイドストリンガー
２０６、２０７ ブラケット
２０９ 船体縦中央
２１０、２１１ クラック
【要約】
【課題】
継続的に損傷（クラック）を起こしていた立式波形横隔壁とサイドストリンガーの取合い部の損傷をなくし、強度上に優れ、その結果、安全面でも優れた構造を有するるチップ専用船の倉内構造を提供する。
【解決手段】
チップ専用船の貨物倉と貨物倉の間に設けられる立式波形倉内横隔壁の船側外板から斜め下方向に延設するサイドストリンガーの深さ位置にボックス構造を設け、かつ、前記立式波形倉内横隔壁の接合部を前記サイドストリンガーの端部において上下に広がる断面のガセット形状プレートとした。
【選択図】図４【図１】
0005613288.tif 000002
【図２】
0005613288.tif 000003
【図３】
0005613288.tif 000004
【図４】
0005613288.tif 000005
【図５】
0005613288.tif 000006
【図６】
0005613288.tif 000007